(57)【特許請求の範囲】
【請求項１】
吸込空気が旋回気流を形成することで、遠心力によって前記旋回気流からゴミを分離し出すサイクロン本体の排気路の上流に配され、ゴミが真空掃除機の真空発生装置側に流入されることを防止する真空掃除機用サイクロン集塵装置のグリル組立体であって、
複数の流路が形成されており、またその両側が開放された円筒形の形状を有するグリルボディと、
円周方向の外側にゴミ逆流防止部を有し、該グリルボディの一側開放部を遮蔽する遮蔽部材と、該遮蔽部材と一体に形成された円筒形状のフィルタ保持部及び該フィルタ保持部に取付けられたフィルタとよりなる円筒形状のフィルタリング手段とを一体に有するフィルタ部材とを有し、
該フィルタリング手段が前記グリルボディの内側壁面に沿い、該遮蔽部材自体がグリルボディの下側開放部を遮蔽するように、着脱手段によって、前記フィルタ部材の遮蔽部材を前記グリルボディに着脱自在に取り付けてあり、
該着脱手段は、該遮蔽部材の上側に前記遮蔽部材と一体に形成された係止突起と、前記グリルボディと一体的に形成された係止突起結合部とよりなり、
該係止突起結合部は、該係止突起が一定した姿勢で通過されうる貫通孔と、前記貫通孔の周りに形成してあり、前記係止突起カム部が回動された場合に係止突起カム部が係合するカム部とよりなり、
前記カム部と前記係止突起の相互作用によりフィルタ部材の遮蔽部材が前記グリルボディに取付けられる構成としたことを特徴とする真空掃除機用サイクロン集塵装置のグリル組立体。
【発明の詳細な説明】
【０００１】
【発明の属する技術分野】
本発明は真空掃除機用サイクロン集塵装置に係り、さらに詳しくはゴミが真空発生装置側に流入されることを防止するために使用される真空掃除機用サイクロン集塵装置のグリル組立体に関する。
【０００２】
【従来の技術】
図１には従来の真空掃除機用サイクロン集塵装置の一例が示されている。図１によれば、従来の真空掃除機用サイクロン集塵装置１０はサイクロン本体２０及びゴミ収集部３０を備えて構成される。
【０００３】
サイクロン本体２０の上側には真空掃除機のブラシ組立体(図示せず)と連結された吸気路２１が設けられる。吸気路２１を介して流入される空気はサイクロン本体２０の接線方向に流入され旋回気流を形成する。
【０００４】
サイクロン本体２０の中央上側には真空掃除機の真空発生装置(図示せず)に連結された排気路２２が設けられる。排気路２２の入口にはゴミが真空発生装置側に流入されることを防止するためのグリル２３が設けられる。
【０００５】
グリル２３には複数の流路２４が形成される。真空掃除機の真空発生装置が作動されれば、被掃除面に存する各種のゴミを含む空気がブラシ組立体及び吸気路２１を介してサイクロン本体２０に流入される。
【０００６】
サイクロン本体２０に流入された空気は旋回気流を形成し、気流に含まれたゴミは遠心力により分離されゴミ収集部３０に集められ、空気はグリル２３の流路２４及び排気路２２を介して真空発生装置側に移動される。
【０００７】
一方、気流からまだ分離できなかった一部のゴミは、グリル２３の流路２４を介してグリル２３を通過し、排気路２２を介して真空発生装置側に移動され真空掃除機の集塵性能を低下させる。
【０００８】
【発明が解決しようとする課題】
本発明は前述した問題点を解決するために案出されたもので、その目的はゴミがグリルを通過して真空発生装置側に流入できなくすることにより、真空掃除機の集塵性能を向上させうる真空掃除機用サイクロン集塵装置のグリル組立体を提供するところにある。
【０００９】
本発明の他の目的は、グリルの着脱を容易にすることで、グリルの掃除を容易にすることができる真空掃除機用サイクロン集塵装置のグリル組立体を提供するところにある。
【００１０】
【課題を解決するための手段】
前述した本発明の目的は、吸込空気が旋回気流を形成することで、遠心力によって前記旋回気流からゴミを分離し出すサイクロン本体の排気路の上流に配されゴミが真空掃除機の真空発生装置側に流入されることを防止することであって、複数の流路が形成されており、またその両側が開放された円筒形の形状を有するグリルボディと、該グリルボディの一側開放部を遮蔽する遮蔽部材、及び前記遮蔽部材の上側に前記遮蔽部材と一体に形成された係止突起と該係止突起が一定した姿勢で通過され得るように前記グリルボディの相応する部分に形成された貫通孔を備えて前記遮蔽部材を前記グリルボディに着脱自在にさせる手段と、を備えることを特徴とする本発明に係る真空掃除機用サイクロン集塵装置のグリル組立体を提供することにより達成される。
【００１１】
【発明の実施の形態】
以下、添付した図面に基づき本発明をさらに詳しく説明する。
【００１２】
図２には本発明の真空掃除機用サイクロン集塵装置のグリル組立体が示されている。同図によれば、真空掃除機用サイクロン集塵装置のグリル組立体１００は、グリルボディ１１０と、遮蔽部材１２０及びフィルタリング手段１３０とを有する。
【００１３】
グリルボディ１１０には複数の流路１１１が形成される。グリルボディ１１０はその両側が開放された円筒形の形状を有し、その上側開放部は排気路２２に連通され、その下側開放部は遮蔽部材１２０により遮蔽される。
【００１４】
遮蔽部材１２０の円周方向の外側にはゴミ逆流防止部１２１が形成される。ゴミ逆流防止部１２１は、グリルボディ１１０側に向ける気流に含まれたゴミの進行方向をサイクロン集塵装置１０の旋回気流側に転換させるよう働く。
【００１５】
フィルタリング手段１３０はフィルタ保持部１３１と、フィルタ保持部１３１によって保持されるフィルタ１３２とを備える。フィルタ保持部１３１は遮蔽部材１２０と一体に形成され、フィルタ１３２はフィルタ保持部１３１に取付けられる。
【００１６】
一方、遮蔽部材１２０の上側には係止突起１４０が遮蔽部材１２０と一体に形成される。図３に示した通り、係止突起１４０は遮蔽部材１２０の上面から所定の高さまでは円筒形に形成され、その上へは取っ手形状に形成される。
【００１７】
グリルボディ１１０の下側には遮蔽部材１２０の係止突起１４０に相応する部分に係止突起結合部１５０が設けられる。図３に示した通り、係止突起結合部１５０には係止突起１４０のための貫通孔１５１が形成され、貫通孔１５１の周りにはカム部１５２が形成される。
【００１８】
カム部１５２は係止位置の高さが解除位置の高さより約０．５ｍｍほど高く形成され、よってこのカム部１５２と係止突起１４０の相互作用により遮蔽部材１２０がグリルボディ１１０に堅固に取付けられる。
【００１９】
すなわち、グリルボディ１１０の貫通孔１５１を介して遮蔽部材１２０の係止突起１４０を通過させてから遮蔽部材１２０を９０°回転させれば、グリルボディ１１０に遮蔽部材１２０が堅固に装着される。すなわち、別の工具なしでグリルボディ１１０に対する遮蔽部材１２０の着脱が可能である。また、係止突起１４０と係止突起結合部１５０がフィルタリング手段１３０の内側に位置するため、結合部にゴミが挟れて着脱が困難になる場合も発生しない。
【００２０】
このような点はフィルタ１３２の掃除やグリル組立体１００のメンテナンスに便利である。図３において、１５３及び１５４は係止突起１２０の係止位置と解除位置を規制するためにグリルボディ１１０から突設されたストッパである。
【００２１】
図４にはこのように構成されたグリル組立体１００がサイクロン本体２０に装着された状態が示されている。グリル組立体１００はネジ(図示せず)のような締結手段によってサイクロン本体２０に分離自在に取付けられる。
【００２２】
一方、真空掃除機の真空発生装置が作動されれば、サイクロン本体２０の内部には旋回気流が形成される。旋回気流に含まれた各種のゴミは遠心力によって気流から分離され、分離されたゴミはゴミ収集部３０に集まる。
【００２３】
前記段階、すなわち遠心力によるゴミ収集段階において、気流から分離され収集できなかった一部のゴミはサイクロン本体２０の中心部に沿って旋回しつつ上昇する気流によりグリル組立体１００側に移動する。
【００２４】
この際、気流に含まれたゴミのうち一部は遮蔽部材１２０のゴミ逆流防止部１２１にぶつかって反射されることで、その進行方向が旋回気流側に再び転換される。従って、ゴミは再び旋回気流に巻き込まれる。
【００２５】
ゴミ逆流防止部１２１によっても上昇気流から分離できなかったゴミはグリル組立体１００の流路１１１側に移動する。空気はグリル組立体１００内外の圧力差によって流路１１１を介してグリル組立体１００の内部に流入される。
【００２６】
この際、気流に含まれたゴミはフィルタ１３２によって濾され、よって浄化された空気のみが真空発生装置側に移動する。従って、ゴミが真空発生装置側に流入されることによる真空掃除機の集塵性能の低下を防げる。
【００２７】
また、グリル組立体１００の掃除やフィルタ１３２を取り替えるために遮蔽部材１２０を分解する場合は遮蔽部材１２０を握って所定方向に９０°回した後引き抜けば遮蔽部材１２０をグリルボディ１１０から分離させうる。作業完了後再び遮蔽部材１２０を組み立てる場合は遮蔽部材１２０の係止突起１４０をグリルボディ１１０の貫通孔１５１に通過させた後分解時と逆方向に９０°回せば遮蔽部材１２０をグリルボディ１１０に堅固に装着させうる。
【００２８】
【発明の効果】
以上述べた通り、本発明の真空掃除機用サイクロン集塵装置のグリル組立体によれば、ゴミが気流に沿ってサイクロン本体の排気路を介して真空掃除機の真空発生装置に流入されることが防止され、よって真空掃除機の集塵性能が向上される。また、本発明の真空掃除機用サイクロン集塵装置のグリル組立体によれば、遮蔽部材の分解及び組立が容易になってグリルの掃除が容易になる。
【００２９】
以上では本発明の特定の望ましい実施例について示しかつ説明した。しかし、本発明は前述した実施例に限らず、特許請求の範囲で請求する本発明の要旨を逸脱せず当該発明の属する技術分野において通常の知識を持つ者ならば誰でも多様な変形実施が可能であろう。
【図面の簡単な説明】
【図１】従来の真空掃除機用サイクロン集塵装置を示す断面図である。
【図２】本発明に係る真空掃除機用サイクロン集塵装置のグリル組立体を示す分解斜視図である。
【図３】図２のグリル組立体の係止突起結合部を示す要部斜視図である。
【図４】図２のグリル組立体がサイクロン集塵装置に装着された状態を示す断面図である。
【符号の説明】
１０    サイクロン集塵装置
２０    サイクロン本体
２１    吸気路
２２    排気路
３０    ゴミ収集部
１００  グリル組立体
１１０  グリルボディ
１１１  流路
１２０  遮蔽部材
１２１  ゴミ逆流防止部
１３０  フィルタリング手段
１３１  フィルタ保持部
１３２  フィルタ
１４０  係止突起
１５０  係止突起結合部
１５１  貫通孔
１５２  カム部
１５３、１５４  ストッパ
【図１】
0003953329.tif 000002
【図２】
0003953329.tif 000003
【図３】
0003953329.tif 000004
【図４】
0003953329.tif 000005